(57)【特許請求の範囲】
【請求項１】
機器本体に設けられているパワーオン機能を有する複数の操作キーからなる入力手段と、
上記入力手段からの入力信号に基づいて、第１パルス信号及び第２パルス信号を生成するパルス生成手段と、
遠隔操作部からの遠隔操作信号を受信する受信部と、
通常モードによる動作制御と、第１待機モードによる動作制御と、該第１待機モードより低消費電力とされる第２待機モードによる動作制御とが可能とされ、上記パルス生成手段からの上記第１パルス信号及び、遠隔操作信号が入力される第１入力部と、上記第２パルス信号が入力される第２入力部と、上記遠隔操作信号が入力される第３入力部とを有して構成される制御手段と、
を備え、
上記制御手段は、
上記第２待機モードによる動作制御の状態にあるとき、
上記第１入力部に上記第１パルス信号又は上記遠隔操作信号が入力されると上記第１待機モードに移行し、
上記第１待機モードによる動作制御の状態にあるとき、
上記第２入力部に上記第２パルス信号が入力されるか、上記第３入力部にパワーオンに対応した上記遠隔操作信号が入力されると、上記第１待機モードから上記通常モードへ移行する
電子機器。
【請求項２】
上記制御手段は、上記第１待機モードにあるときは、所定時間、上記入力手段からの入力信号、または上記遠隔操作手段から遠隔操作信号が入力されないときに、上記第２待機モードに移行することを特徴とする請求項１に記載の電子機器。
【発明の詳細な説明】
【０００１】
【発明の属する技術分野】
本発明は電子機器に関わり、特に、ストップモードを有するマイクロコンピュータを備えた各種電子機器に適用して好適なものである。
【０００２】
【従来の技術】
近年の電子機器は、その多くが赤外線の受信部を備え、リモートコマンド等の遠隔制御送信機（以下、単に「リモコン」という）による遠隔制御が可能になっている。
このため、従来の電子機器では、リモコンにより電子機器の電源をオン／オフするスタンバイモードを有している。
スタンバイモードは、電子機器の主要な動作を停止させた状態においても、リモコンからのコマンド信号に応じて電源オンを行うために、内蔵されているマイクロコンピュータ（以下、単に「マイコン」という）を常に動作させておく必要がある。
【０００３】
【発明が解決しようとする課題】
しかしながら、上記したような従来の電子機器では、スタンバイ時には、内蔵されているマイコンが常に動作していることから、電源オフ時においても、その分だけ多くの電力を消費するため、省エネルギー化という観点から好ましいものではなかった。
【０００４】
そこで、スタンバイ時の消費電力を削減するため、スタンバイ時においては、マイコンが電力消費の少ないストップモード（又はスリープモード）に入り、低消費電力化を図ることができるようにしたマイコンが知られている。
ストップモードは、電子機器がスタンバイモードになった時に、マイコンが全ての機能を司るクロックを停止して、その動作を停止するというモードである。
そして、マイコンがストップモードにあるときは、マイコンは特定の入力端子に入力される信号のエッジを検出することで、自動的に復帰する機能を備えている。マイコンがストップモードから復帰することを「ウェイクアップ」という。
【０００５】
しかしながら、これまでの電子機器では、リモコンからのコマンド信号を利用して、マイコンをストップモードからウェイクアップさせるようにしているため、リモコン以外の操作ではマイコンをストップモードからウェイクアップしないものとされる。
【０００６】
このため、例えば機器本体に対して、リモコンのスタンバイ電源ボタンなどに相当する電源ボタン（メイン電源をオン／オフする操作ボタン）を設けるなどした場合は、この機器本体に設けた電源ボタンを操作してもマイコンをストップモードから復帰させることができなかった。つまり、従来の電子機器では、リモコン以外の操作によってマイコンをストップモードから復帰させることができなかった。
このため、例えば機器本体にスタンバイ電源ボタンなどに相当する電源ボタンを設ける場合には、マイコンのストップモードを利用することができず、スタンバイ時の低消費電力化を図ることができないという欠点があった。
【０００７】
そこで、本発明はこのような点を鑑みてなされたものであり、リモコン以外の操作によってもマイコンをストップモードから復帰させることができる電子機器を提供することを目的とする。
【０００８】
【課題を解決するための手段】
上記目的を達成するため、本発明の電子機器は、機器本体に設けられているパワーオン機能を有する複数の操作キーからなる入力手段と、上記入力手段からの入力信号に基づいて、第１パルス信号及び第２パルス信号を生成するパルス生成手段と、遠隔操作部からの遠隔操作信号を受信する受信部と、通常モードによる動作制御と、第１待機モードによる動作制御と、該第１待機モードより低消費電力とされる第２待機モードによる動作制御とが可能とされ、上記パルス生成手段からの上記第１パルス信号及び、遠隔操作信号が入力される第１入力部と、上記第２パルス信号が入力される第２入力部と、上記遠隔操作信号が入力される第３入力部とを有して構成される制御手段と、を備え、上記制御手段は、上記第２待機モードによる動作制御の状態にあるとき、上記第１入力部に上記第１パルス信号又は上記遠隔操作信号が入力されると上記第１待機モードに移行し、上記第１待機モードによる動作制御の状態にあるとき、上記第２入力部に上記第２パルス信号が入力されるか、上記第３入力部にパワーオンに対応した上記遠隔操作信号が入力されると、上記第１待機モードから上記通常モードへ移行するように構成されている。
【０００９】
本発明によれば、入力手段の複数の操作キー（第１操作キー群）からの入力信号に基づいて、パルス生成手段（パルス生成回路）で、第１パルス信号及び第２パルス信号を生成し、これら第１パルス信号と第２パルス信号を、それぞれ制御手段（マイコン）の第１入力部（ECO_SW端子）と第２入力部（WAKE_UP端子）に入力することで、制御手段を第２待機モードから復帰させ、通常モードで動作させることが可能になる。
【００１０】
【発明の実施の形態】
以下、本発明の実施の形態について説明する。
本実施の形態では本発明の電子機器としてモニター装置を例に挙げて説明する。
図１は、本実施の形態としてのモニター装置の外観構成を示した図である。
この図１に示すモニター装置１は、その前面にユーザ操作に供される操作部２や、リモコン受光部６などが設けられている。
操作部２は、拡大して示されているように、モニター装置１のメイン電源をオン／オフするスタンバイ電源ボタン３、チャンネルを選局するチャンネルキー部４、音量を調節する音量キー部５などが設けられている。
【００１１】
チャンネルキー部４には、チャンネル「＋」キー４ａ，チャンネル「−」キー４ｂが設けられ、音量キー部５には、音量「＋」キー５ａ，音量「−」キー５ｂが設けられている。
【００１２】
スタンバイ電源ボタン３は、商用電源ラインを直接断続する、いわゆる主電源スイッチではなく、モニター装置１をスタンバイ状態にするためのスイッチを操作する操作部位とされる。したがって、このスタンバイ電源ボタン３により電源をオフすると、モニター装置１はスタンバイ状態になる。
【００１３】
また、モニター装置１では、チャンネルキー部４のチャンネルキー４ａ，４ｂが電源オンに相当する機能を有するものとなっている。このため、モニター装置１がスタンバイ状態にあるときに、これらチャンネルキー４ａ，４ｂが操作された場合も、モニター装置１はスタンバイ状態から通常の動作状態に移行して動作するようになっている。
【００１４】
リモコン受光部６は、リモコン７から送信されてくるコマンド信号を受光して出力する部位である。
リモコン７は、モニター装置１を離れた位置から遠隔操作するための遠隔制御送信装置であり、モニター装置１の各種設定や操作等を行うための各種操作ボタンが設けられている。
例えばユーザー操作に供されるスタンバイ電源ボタンや、チャンネルボタン、音量ボタンなどが設けられている。そして、これらの操作ボタンが操作されると、例えば赤外線や電波を利用して操作ボタンに応じたコマンドを少なくとも３回以上連続して送信するようになっている。
なお、リモコン７に設けられているチャンネルボタンなども、スタンバイ電源ボタンの電源オンに相当する機能を有するものとされる。
【００１５】
また、本実施の形態のモニター装置１では、図示していないが主電源スイッチを機器本体の背面側に設け、操作部２にはスタンバイ電源ボタン３を設けるようにして、通常、ユーザが電源のオン／オフ操作を行う際には、操作部２のスタンバイ電源ボタン３、又はリモコン７のスタンバイ電源ボタンを利用して行うようにしている。
【００１６】
これはモニター装置１を構成するにあたっては、そのデザインという観点から操作部２に設けられている操作キーの形状を小型化したほうが好ましい。
ところが、主電源スイッチは、商用電源ラインに直接挿入され、比較的大電流が流れ、その形状を小さくすることは困難であるため、操作部２に主電源スイッチを設けると、デザインの自由度が著しく制約を受けることになる。
そこで、本実施の形態のモニター装置１では、主電源スイッチをユーザから見えない機器の背面側に設け、操作部２には小型化が可能なスタンバイ電源ボタン３を設けるようにしている。
【００１７】
また、モニター装置１のスタンバイ時における動作状態は、後述するマイコン１６を動作させた状態（以下、「リモートオフ状態」という）と、マイコンの動作を停止させ、その分だけ消費電力を低く抑えた状態（以下、「低消費電力状態」という）を採ることができるものとされる。
そして、本実施の形態のモニター装置１は、その動作状態が低消費電力状態にあるときも、電源オン機能を有する、操作部２の複数の操作キー、又はリモコン７の操作ボタンが操作された時に、モニター装置１のメイン電源をオンにして通常の動作状態で動作させることができるようになっている。
【００１８】
図２は、図１に示したモニター装置の内部構成の一例を示したブロック図である。
この図２において、商用電源（ＡＣ電源）１１から入力される商用交流電圧は、ヒューズ１２や主電源スイッチ１３を介してメイン電源１４及びスタンバイ電源１５に入力される。
メイン電源１４は、例えばスイッチング電源などによって構成され、主要回路部に対して動作電圧を供給する。
スタンバイ電源１５は、例えばスイッチング電源や商用トランスなどによって構成され、機器全体の制御を行うマイコン１６やリモコン受光部６などの特定回路部位に対してのみ動作電圧を供給する。
【００１９】
マイコン１６は、リモコン受光部６を介してリモコン７から送られてくるコマンド信号Ｓ3や、操作部２からの操作信号などに基づいて、機器全体の制御を行うようにされる。
【００２０】
また、マイコン１６は、モニター装置１をリモートオフ状態で動作させる時は、その内部に設けられているＣＰＵをスタンバイモード（第１待機モード）で動作させるようにする。
これに対して、モニター装置１を低消費電力状態で動作させる時は、マイコン１６の全ての機能を司るクロックを停止して、そのＣＰＵを停止させた、いわゆるストップモード（第２待機モード）となるようにしている。
【００２１】
このため、マイコン１６には、入力端子として、例えばREMOTE端子、ECO_SW端子、WAKE_UP端子、KEY_DET1端子、KEY_DET2端子などが設けられている。
ここで、REMOTE端子はリモコン７からのコマンド信号Ｓ3を入力する入力端子である。
ECO_SW端子は、マイコン１６をストップモードから復帰させるための割り込み端子である。
WAKE_UP端子は、マイコン１６が通常のスタンバイモードで動作しているときに操作部２により電源オン操作が行われたかどうか監視するための入力端子である。
KEY_DET1端子は、操作部２に設けられている操作キーの内、第１の操作キー群２１に属する操作キーからの操作信号が入力される入力端子とされ、KEY_DET2端子は、第２操作キー群３１に属する複数の操作キーからの操作信号が入力される入力端子である。
【００２２】
ここで、第１操作キー群２１に属する複数の操作キーは、モニター装置１がスタンバイ状態にあるときに、メイン電源１４をオンにする電源オン機能を有する操作キーであり、例えばスタンバイ電源キー３、チャンネル＋／−キー４ａ，４ｂ等とされる。
また、第２操作キー群３１に属する複数の操作キーは、操作部２の操作キーの内、メイン電源１４をオンにする機能を有していない操作キーであり、例えば音量＋／−キー５ａ，５ｂ等とされる。
【００２３】
これら第１操作キー群２１及び第２操作キー群３１は、図示するように、それぞれ複数のスイッチＳＷ，ＳＷ・・・と、複数の抵抗Ｒ，Ｒ・・・が接続されて構成され、いずれかの操作キーが操作されることで、何れかのスイッチＳＷがオンになるようにしている。
【００２４】
例えば操作部２の第１操作キー群２１に属するスタンバイ電源ボタン３が操作された時は、このスタンバイ電源ボタン３に対応するスイッチＳＷがオンになり、チャンネル操作キー４ａ，４ｂが操作された時は、それぞれ操作キーに対応するスイッチＳＷがオンになるようにしている。
これにより、マイコン１６のKEY_DET1端子には、第１操作キー群２１の操作に応じて異なる電圧レベルの操作信号が入力されることになる。
また、この第１操作キー群２１からの操作信号は、後述するパルス生成回路１７にも入力されている。
【００２５】
また操作部２の第２操作キー群３１に属する音量「＋」キー５ａが操作された時は、第２操作キー群３１の音量「＋」キー５ａに対応するスイッチＳＷがオンになる。これにより、マイコン１６のKEY_DET2端子には、第２操作キー群３１の操作に応じて異なる電圧レベルの操作信号が入力されることになる。
【００２６】
パルス生成回路１７は、本実施の形態のモニター装置１がスタンバイ状態にあるときに、電源オン機能を有する第１操作キー群２１の操作キーが操作された時に、モニター装置１の電源をオンするために設けられている。なお、このパルス生成回路１７の動作については後述する。
【００２７】
ここで、モニター装置１の動作遷移を図３、図４を用いて説明しておく。
モニター装置１の動作状態は、図３に示すように、通常状態（メイン電源オン状態）と、スタンバイ状態（メイン電源オフ状態）に分けることができる。
そしてモニター装置１のスタンバイ状態は、その内部のマイコン１６が動作状態にあるリモートオフ状態と、マイコン１６がストップモードに移行してその動作を完全に停止している低消費電力状態に分けることができる。
【００２８】
通常状態からリモートオフ状態へは、モニター装置１が電源オン状態にあるときに、操作部２のスタンバイ電源ボタン３又はリモコン７の電源ボタン（図示しない）が操作されたときに移行するものとされる。
また、リモートオフ状態から低消費電力状態へは、モニター装置１がリモートオフ状態にあるときに、所定時間、電源オン機能を有する、操作部２の操作キー、又はリモコン７の操作ボタンの操作が行われなかった時に移行するものとされる。
このようなリモートオフ状態から低消費電力状態への移行は、モニター装置１がリモートオフ状態になった時点で、マイコン１６が所定の処理プログラムを実行し、所定時間、マイコン１６にパワーオン命令がないときに移行するものとされる。
このためマイコン１６には、例えばストップモードカウンタが設けられている。
そして、例えば図４に示すように、モニター装置１が通常動作状態からリモートオフ状態に移行した時点ｔ1において、ストップモードカウンタによるカウントを開始する。そして、このストップモードカウンタのカウント値が所定値Ｘに達した時点ｔ2で、マイコン１６の動作を停止させることで低消費電力状態に移行させるようにしている。なお、リモートオフ状態から低消費電力状態に移行するまでの時間は、任意に設定可能であり、特に問題なければ５秒〜１０秒程度に設定すれば良いものである。
【００２９】
一方、低消費電力状態からリモートオフ状態へは、マイコン１６のECO_SW端子（図２参照）で、エッジ入力（例えば立ち下がりエッジ）が検出されたときに移行するものとされる、
例えば図４に示す時点ｔ3において、マイコン１６のECO_SW端子でエッジ入力が検出されたとすると、マイコン１６が即座に起動して、リモートオフ時の処理プログラムを実行することで、低消費電力状態からリモートオフ状態に移行して、再びストップモードカウンタによるカウントを開始することになる。
【００３０】
また、リモートオフ状態から電源オン状態へは、マイコン１６のREMOTE端子に入力されるコマンド信号Ｓ3に電源オンコマンドが含まれているか、あるいはマイコン１６のWAKE_UP端子の電圧レベルを検出した時に移行するものとされる。
【００３１】
そして、このようなモニター装置１では、マイコン１６がストップモードにある時に、電源オン機能を有する操作部２の操作キー又はリモコン７の操作ボタンが操作された時は、モニター装置１の電源をオンして通常の動作状態で動作させることができるようにしている。
【００３２】
そこで、先ず、図５を用いて、リモコンによりモニター装置１を低消費電力状態から通常の動作状まで移行させる移行動作について説明する。
この図５に示すように、モニター装置１では、リモコン受光部６の出力ラインをマイコン１６のREMOTE端子とECO_SW端子に接続し、リモコン受光部６においてリモコン７からのコマンド信号Ｓ3を受信した時は、その受信されたコマンド信号Ｓ3をマイコン１６のREMOTE端子とECO_SW端子とに入力するようにしている。
【００３３】
ここで、モニター装置１が低消費電力状態にあるときは、これまでも述べたように、マイコン１６がストップモードになっているが、図５に示すように、リモコン受光部６の出力ラインをマイコン１６のECO_SW端子に接続しておくようにすると、マイコン１６は、リモコン受光部６からのコマンド信号Ｓ3のエッジ入力により、即座にストップモードからウェイクアップすることになる。
【００３４】
そして、本実施の形態のモニター装置１では、リモコン７からの同一のコマンドが連続３回、送出されてくることから、マイコン１６は、リモコン受光部６から入力される１回目のコマンドのエッジ入力によって、即座にウェイクアップすることになる。
そして、リモコン受光部６からREMOTE端子に入力される残り２回分のコマンドから、そのコマンドに、パワーオンコマンドが含まれているかどうかの解析を行い、リモコン７からのコマンドにパワーオンコマンドが含まれている時はモニター装置１の電源をオンすることになる。
【００３５】
従って、このようなモニター装置１では、その動作状態が低消費電力状態にあるときに、リモコン７からパワーオンコマンドを含むコマンド信号Ｓ3が入力されることで、確実にモニター装置１の電源をオンにして通常の動作状態で動作させることが可能になる。
【００３６】
また、外光ノイズ等によってマイコン１６のECO_SW端子にエッジ入力があり、マイコン１６が低消費電力状態からリモートオフ状態に移行したとしても、その場合は、マイコン１６のREMOTE端子にはパワーオンコマンドを含むをコマンド信号Ｓ3が入力されることがないので、誤ってモニター装置１の電源がオンになるという誤動作が発生することはない。
【００３７】
なお、このようにマイコン１６のストップモードを利用して低消費電力化を図る場合、マイコン１６がストップモードにあるときは、機器内部で発生するノイズや、外部からの外光ノイズによって、マイコン１６がストップモードから頻繁にウェイクアップすると、本来の目的である、スタンバイ時の低電力消費を実現することができない恐れもある。
そこで、例えばマイコンのECO_SW端子をリモコン受光部６に接続する際には、リモコン受光部６とマイコン１６との間にフィルタを設け、外光ノイズ等によってマイコン１６がストップモードからウェイクアップしないようにするとスタンバイ時の低消費電力化をより確実なものとなる。
【００３８】
次に、図６を用いて、操作部２の操作によりモニター装置１を低消費電力状態から通常の動作状態まで移行させる移行動作について説明する。
モニター装置１では、図６に示すように、電源オン機能を有する操作部２の第１操作キー群２１からの操作信号をパルス生成回路１７に入力し、このパルス生成回路１７を利用して、モニター装置１を低消費電力状態から通常動作状態（メイン電源オン状態）で動作させることができるようにしている。
パルス生成回路１７は、図示するように、ＰＮＰトランジスタＱ1、ＮＰＮトランジスタＱ2、抵抗Ｒ，Ｒ、コンデンサＣによって構成される。
ＰＮＰトランジスタＱ1のベースは、第１操作キー群２１の出力ラインに接続され、そのコレクタには分圧抵抗Ｒ，Ｒが接続されている。またそのエミッタにはスタンバイ電源１５から駆動電圧が与えられている。
そして、この分圧抵抗Ｒ，Ｒの接続点がマイコン１６のWAKE_UP端子と、ＮＰＮトランジスタＱ2のベースに接続されている。また、この分圧抵抗Ｒ，Ｒの接続点とグランド間にはコンデンサＣが接続されている。
また、ＮＰＮトランジスタＱ2のコレクタには、スタンバイ電源１５から駆動電圧が与えられていると共に、そのエミッタは接地されている。
【００３９】
このような構成とされるパルス生成回路１７では、第１操作キー群２１の何れかの操作キーが操作されると、この第１操作キー群２１からの操作信号によりＰＮＰトランジスタＱ1がオンすることになる。
ＰＮＰトランジスタＱ1がオンになると、分圧抵抗Ｒ，Ｒに発生する電圧により、ＮＰＮトランジスタＱ2もオンになり、マイコン１６のECO_SW端子には、図示するようなパルス波形の第１パルス信号Ｓ1が入力されることになる。
従って、この場合もマイコン１６は、このＮＰＮトランジスタＱ2の波形電圧のエッジ入力により、即座にウェイクアップすることになる。
また、この時、ＰＮＰトランジスタＱ1を流れる電流によってコンデンサＣがチャージされることから、マイコン１６のWAKE_UP端子には、図示するようなパルス波形の第２パルス信号Ｓ2が入力されることになる。
【００４０】
この場合、マイコン１６は、このWAKE_UP端子に入力される電圧レベルのが所定期間「High」レベルがどうかの判別を行い、所定期間「High」レベルであると判別したときにモニター装置１の電源をオンすることになる。
【００４１】
従って、本実施の形態のモニター装置１によれば、その動作状態が低消費電力状態にあるときに、電源オン機能を有する操作部２の操作キー（第１操作キー群２１の操作キー）が操作された場合は、確実にモニター装置１の電源をオンにして通常の動作状態で動作させることが可能になる。
【００４２】
またこの場合も、外光ノイズ等によってマイコン１６のECO_SW端子にエッジ入力があり、マイコン１６が低消費電力状態からリモートオフ状態に移行しても、パルス生成回路１７からマイコン１６のWAKE_UP端子に入力される第２パルス信号Ｓ2の電圧レベルが、所定期間連続して「HIGH」レベルになることがないので、誤ってモニター装置１の電源がオンになるという誤動作もない。
【００４３】
以下、これまで説明したモニター装置１の動作を実現するために、マイコン１６が実行する処理動作を、図７に示すフローチャートを用いて説明する。
なお、以下に説明する処理動作は、モニター装置１のリモートオフ状態における処理動作を示したものである。
【００４４】
先ず、マイコン１６は、モニター装置１が電源オン状態（通常の動作状態）にある時はステップＳ１０１において、パワーオフ操作が行われたかどうかの判別を行うことになる。
例えば操作部２のスタンバイ電源ボタン３又はリモコン７のスタンバイ電源ボタンが操作されたかどうかの判別を行うことになる。
そして、ステップＳ１０１において、パワーオフ操作が行われたと判別した時は、ステップＳ１０２に進んで、メイン電源１４をオフすることになる。つまり、マイコン１６は、モニター装置１を電源オン状態から、リモートオフ状態に移行させるための処理を行うことになる。
そして、ステップＳ１０３において、マイコン１６に設けられているストップモードカウンタをスタートさせた後、続くステップＳ１０４において、WAKE_UP端子の監視動作をスタートさせるようにする。これにより、マイコン１６は、以後一定期間ごとに、WAKE_UP端子の電圧レベルの監視を行うようにする。
【００４５】
次に、マイコン１６は、ステップＳ１０５において、REMOTE端子を監視する。そして、リモコン受光部６を介してリモコン７からコマンド信号Ｓ3が入力された時は、そのコマンド信号Ｓ3にパワーコマンドが含まれているかどうか検出を行い、パワーコマンドを検出したときはステップＳ１０９に進む。
一方、リモコン受光部６を介してリモコン７からコマンド信号Ｓ3が入力されていない、あるいは、リモコン７からコマンド信号Ｓ3が入力されたとしても、そのコマンド信号Ｓ3にパワーコマンドが含まれていないときはステップＳ１０６に進むことになる。
【００４６】
ステップＳ１０６においては、上記ステップＳ１０４において所定期間ごとに監視しているWAKE_UP端子の電圧レベルが所定回数（例えば１０回以上）「HIGH」レベルであるかどうかの判別を行う。
ここで、肯定結果が得られた時は、ステップＳ１０９に進み、そうでなければステップＳ１０７に進むことになる。
【００４７】
ステップＳ１０７においては、ストップモードカウンタのカウント値が所定のカウント値Ｘに達したかどうかの判別を行い、カウント値が所定のカウント値Ｘに達していなければ、ステップＳ１０５に戻り、ステップＳ１０５から処理を繰り返し行うことになる。
【００４８】
一方、ステップＳ１０５、又はステップＳ１０６において、ステップＳ１０９に進んだときは、パワーオン操作が行われたものとして、ストップモードカウンタのカウント値をクリアした後、続くステップＳ１１０においてメイン電源１４をオンすることになる。そして、続くステップＳ１１１においてメイン電源１４のパワーオン処理を行うようにする。これにより、モニター装置１の動作状態は、リモートオフ状態から通常状態へ移行することになる。
【００４９】
一方、ステップＳ１０７においてストップモードカウンタのカウント値が所定のカウント値Ｘに達していた時は、ステップＳ１０８に進み、マイコン１６は自身の動作を司るクロックを停止させたストップモードに移行することになる。
これにより、モニター装置１のスタンバイ動作状態はリモートオフ状態から低消費電力状態に移行することになる。
【００５０】
ここで、マイコン１６がストップモードにあるときに、マイコン１６のECO_SW端子にエッジ入力があったとすると、マイコン１６は即座に起動してステップＳ１０３から処理を行うことになる。
例えばリモコン７からのコマンド信号Ｓ3によって、マイコン１６がストップモードから復帰したとすると、マイコン１６はステップＳ１０５において、リモコン７からのコマンド信号Ｓ3にパワーオンコマンドが含まれているかどうか検出することになる。そして、パワーオンコマンドが含まれていると検出したときは、ステップＳ１０９に進み、上記したステップＳ１０９からの処理を行う。
これにより、モニター装置１の動作状態はリモートオフ状態から通常の電源オン状態へ移行することになる。つまり、本実施の形態のモニター装置１が低消費電力状態にあるときに、リモコン７から電源オン機能を含むコマンド信号Ｓ3が入力されると、モニター装置１は低消費電力状態から電源オン状態へと移行することになる。
【００５１】
一方、例えばリモコン７からのコマンド信号Ｓ3によってストップモードから復帰したとしても、コマンド信号Ｓ3にパワーオンコマンドが含まれていない場合は、ステップＳ１０５においてパワーオンコマンドが検出されないので、ステップＳ１０６に進み、ステップＳ１０６から処理を行うことで、マイコン１６は再びストップモードに移行することになる。つまり、モニター装置１は再び低消費電力状態になるものとされる。
【００５２】
また、例えば操作部２の電源オン機能を有する第１操作キー群２１の操作信号によって、マイコン１６がストップモードから復帰したとすると、マイコン１６はステップＳ１０６において、WAKE_UP端子に入力される第２パルス信号Ｓ2のレベルが所定回数以上「HIGH」であると判別されるから、ステップＳ１０９に進み、上記したステップＳ１０９からの処理を行うことになる。従って、この場合もモニター装置１が低消費電力状態にあるときに、操作部２の電源オン機能を有する第１操作キー群２１の操作キーが操作されると、モニター装置１は低消費電力状態から電源オン状態へと移行することになる。
【００５３】
なお、外光ノイズ等によってマイコン１６がストップモードから起動した場合は、ステップＳ１０５、及びステップＳ１０６において、否定結果が得られることからマイコン１６は再びストップモードに移行することになる。
【００５４】
従って、本実施の形態のモニター装置１によれば、例えば機器本体の操作部２にメイン電源１４をオンにするオン機能を有するスタンバイ電源ボタン３を設けた場合でも、電源オン機能を有する、操作部２の操作キーや、リモコン７の操作ボタンが操作されることで、モニター装置１を低消費電力状態から電源オン状態に移行させることが可能になる。
このようにすれば、スタンバイ時には、内蔵されているマイコンが動作していない分、モニター装置１の消費電力を低減することができる。
【００５５】
なお、本実施の形態ではモニター装置を例に挙げて説明したが、本発明はストップモードを有するマイコンにより構成できる電子機器であれば適用することが可能である。
【００５６】
【発明の効果】
以上説明したように、本発明の電子機器は、入力手段（操作部）の電源オン機能を有する複数の操作キーからの入力信号に基づいて、第１パルス信号及び第２パルス信号を生成するパルス生成手段（パルス生成回路）を設け、このパルス生成手段において生成した第１及び第２パルス信号を制御手段（マイコン）の第１入力部（ECO_SW端子）及び第２入力部（WAKE_UP端子）にそれぞれ入力するようにした。
このようにすれば、入力手段によって電源オン操作が行われたときのみ、パルス生成手段から制御手段の第１及び第２の入力部に第１及び第２パルス信号を入力することができるので、制御手段を第２待機モード（ストップモード）から復帰させ、通常モードで動作させることができるようになる。
【００５７】
また、制御手段に第３入力部（REMOTE端子）を設け、遠隔操作手段からの遠隔操作信号を、制御手段の第１入力部と上記第３入力部に入力するようにすれば、遠隔操作手段によっても、制御手段を第２待機モード（ストップモード）から復帰させて通常モードで動作させることができる。
【００５８】
従って、このような本発明によれば、例えば電子機器の動作状態をスタンバイ状態にするスイッチを入力手段に設けた場合でも、入力手段、または遠隔操作手段によって、制御手段を第２待機モードから復帰させて、通常モードで動作させることが可能になるため、制御手段の第２待機モードを利用した低消費電力化を図ることが可能になる。
【図面の簡単な説明】
【図１】本発明の実施の形態とされるモニター装置の概略説明図である。
【図２】本実施の形態のモニター装置の電源制御部の構成を示した図である。
【図３】本実施の形態のモニター装置の動作状態の遷移図である。
【図４】ストップモードカウンタと、リモートオフ状態、低消費電力状態の関係を示した図である。
【図５】マイコンとリモコン受光部との接続形態を示した図である。
【図６】マイコンと第１操作キー群との接続形態を示した図である。
【図７】マイコンの処理動作を示したフローチャートである。
【符号の説明】
１  モニター装置、２  操作部、３  スタンバイ電源スイッチ、４  チャンネルキー部、５  音量キー部、６  リモコン受光部、７  リモコン、１２  ヒューズ、１３  主電源スイッチ、１４  メイン電源、１５  スタンバイ電源、１６  マイコン、１７  パルス生成回路、２１  第１操作キー群、３１  第２操作キー群、ＡＣ  商用電源
【図１】
0004599774.tif 000002
【図２】
0004599774.tif 000003
【図３】
0004599774.tif 000004
【図４】
0004599774.tif 000005
【図５】
0004599774.tif 000006
【図６】
0004599774.tif 000007
【図７】
0004599774.tif 000008